(57)【要約】【課題】意匠性をさほど損なうことなく、夜間などで部屋の照明を点灯させなくともシンクと天板の境界を視認することができ、使い勝手を良好とすること。【解決手段】天板１に形成された開口部２の内側にシンク３の外周縁４が配置され、天板とシンクの間に接着剤５による接合部６が介設されて天板とシンクが接合し、接合部を形成する接着剤は、光透過性の樹脂から形成され、接合部が発光可能とされている。【選択図】図１
2010121379.tif 000002
【特許請求の範囲】
【請求項１】
天板に形成された開口部の内側にシンクの外周縁が配置され、天板とシンクの間に接着剤による接合部が介設されて天板とシンクが接合しているシンクと天板の接合構造において、
接合部を形成する接着剤は、光透過性の樹脂から形成され、接合部が発光可能とされている
ことを特徴とするシンクと天板の接合構造。
【請求項２】
接着剤は、光透過性の樹脂に蓄光材料が添加されたものであることを特徴とする請求項１に記載のシンクと天板の接合構造。
【請求項３】
接合部において、天板の開口部の内周縁またはシンクの外周縁のいずれか一方または両方に沿って全周にまたは部分的に、蓄光シートが配設されていることを特徴とする請求項１に記載のシンクと天板の接合構造。
【請求項４】
接合部において、天板の開口部の内周縁またはシンクの外周縁のいずれか一方または両方に沿って全周にまたは部分的に、発光体が配設されていることを特徴とする請求項１に記載のシンクと天板の接合構造。
【発明の詳細な説明】
【技術分野】
【０００１】
本発明は、厨房装置におけるシンクと天板の接合構造に関する。
【背景技術】
【０００２】
住宅などのキッチンに設置される厨房装置では、シンクは、カウンターとして使用される天板に形成された開口部に配置されて接着剤などによって接合されている。
【０００３】
本出願人は、シンクと天板との接合に関し、たとえば特許文献１に記載した接合構造を提案している。
【０００４】
特許文献１に記載した接合構造では、天板に形成された開口部におけるシンクと天板の接合部を、接着剤によって、シンクと天板の表面側に位置する第１接合層と、第１接合層の裏面側に位置する第２接合層とから形成し、第１接合層の一部が、シンクと天板の間において表面側に露出して目地を形成している。第１接合層の一部が形成する目地によって、汚れが視認しやすく、清掃を容易に行うことができるという作用効果が奏される。
【０００５】
また、上記接合構造では、意匠性の向上のために、第１接合層を形成する第１硬質接着剤に、シンクまたは天板のいずれかの色、柄などに合わせて着色剤や柄材などを混合して目地を目立たなくすることを考慮している。
【特許文献１】特開２００８−１５６９４０号公報
【発明の開示】
【発明が解決しようとする課題】
【０００６】
意匠性の向上を図る上でシンクと天板の境界に位置する目地は、確かに目立たない方が有効であるが、その後の検討により厨房装置の使い勝手の面で問題が指摘された。
【０００７】
すなわち、夜間などの薄暗いまたは暗い状態では、照明を点灯させなければシンクと天板の境界が判りにくく、天板の上にコップなどの食器を置こうとして誤ってシンクの内部に食器を落としてしまい、食器に破損などが生じるという問題がある。
【０００８】
そこで、本発明は、以上のとおりの事情に鑑み、意匠性をさほど損なうことなく、夜間などで部屋の照明を点灯させなくともシンクと天板の境界を視認することができ、使い勝手を良好とするシンクと天板の接合構造を提供することを課題としている。
【課題を解決するための手段】
【０００９】
本発明は、上記の課題を解決するために、以下の特徴を有している。
【００１０】
第１の発明は、天板に形成された開口部の内側にシンクの外周縁が配置され、天板とシンクの間に接着剤による接合部が介設されて天板とシンクが接合しているシンクと天板の接合構造において、接合部を形成する接着剤は、光透過性の樹脂から形成され、接合部が発光可能とされていることを特徴としている。
【００１１】
第２の発明は、上記第１の発明の特徴において、接着剤は、光透過性の樹脂に蓄光材料が添加されたものであることを特徴としている。
【００１２】
第３の発明は、上記第１の発明の特徴において、接合部において、天板の開口部の内周縁またはシンクの外周縁のいずれか一方または両方に沿って全周にまたは部分的に、蓄光シートが配設されていることを特徴としている。
【００１３】
第４の発明は、上記第１の発明の特徴において、接合部において、天板の開口部の内周縁またはシンクの外周縁のいずれか一方または両方に沿って全周にまたは部分的に、発光体が配設されていることを特徴としている。
【発明の効果】
【００１４】
上記第１の発明によれば、光透過性の樹脂で形成された接着剤による接合部は、シンクと天板の境界に位置し、接合部は発光可能とされているので、夜間などの薄暗いまたは暗い状態において接合部が発光し、部屋の照明を点灯しなくてもシンクと天板の境界を視認することができる。このため、天板の上にコップなどの食器を置こうとして誤ってシンクの内部に食器を落としてしまうのが抑制される。使い勝手が良好となる。また、接合部は、光を透過することができるため、目地として際立つことがなく、意匠性はさほど損なわれず、むしろ発光によって高級感が現出し、意匠性を別の観点から向上させることができる。
【００１５】
上記第２および第３の発明によれば、上記第１の発明の効果に加え、接合部の発光を容易に実現することができる。
【００１６】
上記第４の発明によれば、上記第１の発明の効果に加え、接合部の発光をより確実に実現することができ、発光による高級感を十分に表現することができる。
【発明を実施するための最良の形態】
【００１７】
図１は、本発明のシンクと天板の接合構造の第１実施形態を示した要部断面図である。図２は、図１に示したシンクと天板の接合構造によって実現されるシンクと天板の接合状態を示した要部斜視図である。図３は、図２に示したシンクと天板の接合状態の要部断面図である。
【００１８】
天板１に形成された開口部２の内側にシンク３の外周縁４が配置され、天板１とシンク３の間に接着剤５による接合部６が介設されて天板１とシンク３は接合している。
【００１９】
天板１は、耐熱性の樹脂から成形された、いわゆる人造大理石製の成形品である。天板１は、前端縁部に垂下する前垂れ部７を備え、後端縁部に略垂直に立ち上がるバックガード８を備えている。開口部２は、天板１の略中央部に形成され、シンク３の外周縁４よりもやや大きい略長方形形状を有している。天板１において開口部２付近の裏面には、開口部２の内周縁１０から一定の距離だけ外側に離れて桟木９が配設されている。桟木９は、開口部２の外側を取り囲んでいる。
【００２０】
シンク３は、ステンレス製であり、絞り成形によって作製されたものである。シンク３の底面１１において略中央部の後端側に排水口１２が形成されている。シンク３は、上方に開口しており、開口１３の外周上端縁に外側に向かって延在するフランジ部１４が配設されている。フランジ部１４は、シンク３の内側に向かって傾斜する第１のテーパ部１５と第２のテーパ部１６を備えている。第１のテーパ部１５と第２のテーパ部１６は、第１のテーパ部１５の外周端と第２のテーパ部１６の内周端において、垂下する連結部１７により連結されている。第２のテーパ部１６の外周端には水平部１８が配設され、水平部１８の外周縁には垂下する折り返し片１９が延設されている。第１のテーパ部１５および第２のテーパ部１６は、シンク３の周囲に飛散する水などを溜めることなく、シンク３の内側に誘導し、排水可能にする。また、第１のテーパ部１５および第２のテーパ部１６、さらに、折り返し片１９は、フランジ部１４の強度向上に寄与し、また、絞り成形の際に鋼板の波打ちや変形を抑制することができる。折り返し片１９は、外側面において、シンク３の外周縁４を形成し、折り返し片１９には、内外側面を貫通する透孔２０が一定間隔で複数箇所に形成されている。
【００２１】
接合部６は、透明または半透明などの光透過性の樹脂から形成された接着剤５が硬化して形成されている。接着剤５を形成する光透過性の樹脂には、たとえば、透明または半透明なウレタン樹脂、エポキシ樹脂、ポリエステル樹脂などが適用可能である。
【００２２】
接合部６は、次のようにして形成されている。天板１の開口部２の内周縁１０に折り返し片１９を対向させてシンク３の外周縁４を開口部２の内側に配置し、天板１の天面とシンク３の水平部１８の上面をわずかに隙間をあけて配置した状態に保持する。次いで、接着剤５を天板１とシンク３の裏面側において桟木９からシンク３のフランジ部１４の間に注入し、硬化させる。
【００２３】
桟木９によって接着剤５の接着面積が拡大され、天板１とシンク３の接合強度が十分となり、人造大理石製の天板１であっても、天板１の厚みを薄いものにすることができる。
【００２４】
接着剤５は、天板１の天面とシンク３の水平部１８の上面の間の隙間に浸入し、天板１とシンク３の間に開口部２に沿った形状の目地２１を形成する。
【００２５】
目地２１は、０．５ｍｍ〜５．０ｍｍ程度の幅とすることができ、開口部２の形成およびシンク３の成形誤差などを吸収しつつ、天板１とシンク３の接合強度を保持し、また、接合部６において表面に露出する部分を美麗に仕上げることができる。また、目地２１は、接着剤５がシンク３の水平部１８の外周縁部に若干被るようにして形成されており、接合部６の表面側における接合強度を向上させている。そのために、シンク３の水平部１８は、天板１の天面から若干下方に配置されているが、水平部１８の上面は、天板１の天面と略面一とみなし得るように配置され、天板１とシンク３の間に視認されるほどの段差は形成されていない。したがって、目地２１における汚れの付着を抑えることができ、汚れが付着しても清掃を容易に行うことができる。また、天板１およびシンク３は、全体として外観がフラットなものとなり、天板１の開口部２の内周縁１０およびシンク３の外周縁４のどちらも露出しないため、意匠性に優れたものとなる。
【００２６】
また、接着剤５は、シンク３の折り返し片１９に形成された透孔２０にも浸入し、透孔２０に充填され、硬化することによって、アンカー効果が得られ、天板１とシンク３の接合強度が十分に高く保持される。
【００２７】
なお、光透過性の樹脂から形成された接着剤５には、蓄光材料２２が添加されている。蓄光材料２２は、太陽光や照明から照射される光のエネルギーを吸収し、光が消えた後に蓄積したエネルギーを「りん光」などの光として放出する材料である。たとえば、硫化亜鉛に銅を加えたものや、アルミン酸ストロンチウムを結晶母体とし、ユロピウムやジスプロシウムなどの希土類元素が添加されたものなどが蓄光材料２２として知られている。このような蓄光材料２２が添加された接着剤５による接合部６は、周囲が明るいときに天板１とシンク３の間に形成された目地２１から透過する光を蓄光して発光可能であり、シンク３と天板１の境界に位置するため、夜間などの薄暗いまたは暗い状態において接合部６は発光し、部屋の照明を点灯しなくてもシンク３と天板１の境界を視認することができる。したがって、天板１の上にコップなどの食器を置こうとして誤ってシンク３の内部に食器を落としてしまうのが抑制される。使い勝手が良好となる。
【００２８】
また、接合部６は、光透過性の樹脂から形成された接着剤５によって形成されているので、光を透過することができ、したがって、目地２１は際立つことがなく、意匠性はさほど損なわれない。むしろ添加された蓄光材料２２による発光によって、高級感が現出し、意匠性は別の観点から向上する。さらに、接合部６の発光は、蓄光材料２２の接着剤５への添加という簡便な方法により容易に実現される。
【００２９】
図４＜ａ＞＜ｂ＞は、それぞれ、本発明のシンクと天板の接合構造の第２実施形態を示した要部断面図である。図４＜ａ＞＜ｂ＞において、図１に示した第１実施形態に相当する部位には同じ符号を付し、同一符号を付した部位については以下においてその説明を省略する。
【００３０】
図４＜ａ＞＜ｂ＞に示した第２実施形態は、接合部６の構成のみが、図１に示した第１実施形態と相違している。
【００３１】
接合部６を形成する接着剤５には蓄光材料２２は添加されていない。その代わりに接合部６は、蓄光シート２３を備えている。蓄光シート２３は、ＰＥＴなどの樹脂フィルムから形成される基材の表面に蓄光材料がコーティングされた蓄光層を備えたものであり、蓄光材料から形成された蓄光層において発光するものである。
【００３２】
図４＜ａ＞に示した実施形態では、蓄光シート２３が、天板１の開口部２の内周縁１０およびシンク３の外周縁４を形成する折り返し片１９の外側面に配設されている。蓄光シート２３は、基材の裏面に配設された粘着材や塗布された接着剤などによって、天板１の開口部２の内周縁１０およびシンク３の折り返し片１９の外側面に貼り付けることができる。
【００３３】
このような蓄光シート２３を備えた接合部６もまた、発光可能であり、シンク３と天板１の境界に位置するため、夜間などの薄暗いまたは暗い状態において接合部６は発光し、部屋の照明を点灯しなくてもシンク３と天板１の境界を視認することができる。したがって、天板１の上にコップなどの食器を置こうとして誤ってシンク３の内部に食器を落としてしまうのが抑制される。使い勝手が良好となる。
【００３４】
また、接合部６は、光透過性の樹脂から形成された接着剤５によって形成されているので、光を透過することができ、したがって、目地２１は際立つことがなく、意匠性はさほど損なわれない。むしろ蓄光シート２３の発光によって、高級感が現出し、意匠性は別の観点から向上する。さらに、接合部６の発光は、蓄光シート２３の配設という簡便な方法により容易に実現される。
【００３５】
なお、蓄光シート２３は、天板１の開口部２の内周縁１０またはシンク３の外周縁４のいずれか一方に沿って配設されていてもよく、また、内周縁１０または外周縁４の全周にわたって配設されても、または部分的に配設されていてもよい。蓄光シート２３の発光が十分に視認される限り、配設箇所は特に制限されない。
【００３６】
たとえば、図４＜ｂ＞に示したように、蓄光シート２３は、天板１の開口部２の内周縁１０とシンク３の外周縁４の間に配設することができる。このようにしても、蓄光シート２３の発光は、目地２１において視認可能である。蓄光シート２３を天板１の開口部２の内周縁１０とシンク３の外周縁４の間に配設する場合には、たとえば、接合部６は、第１の接着剤５ａによる表面側に位置する第１の接合層６ａと第２の接着剤５ｂによる裏面側に位置する第２の接合層６ｂから形成することができる。そして、目地２１の位置において第１の接合層６ａと第２の接合層６ｂの境界部に蓄光シート２３を介在させることができる。
【００３７】
第１の接着剤５ａと第２の接着剤５ｂには性質の異なるものを使用しても、同一のものを使用してもどちらでもよい。性質の異なるものを使用する場合には、たとえば、第１の接着剤５ａに第２の接着剤５ｂよりも粘性の低いものを選択することができる。第１の接着剤５ａを天板１とシンク３の裏面側において、桟木９からシンク３のフランジ部１４の間に天板１の厚み分まで注入し、次いで、蓄光シート２３を所望の位置に配置した後、第１の接着剤５ａが硬化する前に第２の接着剤５ｂを桟木９の厚み分まで注入する。第１の接着剤５ａは、第２の接着剤５ｂよりも粘性が低いため、目地２１の位置に対応する天板１とシンク３の間の隙間に十分に浸透するとともに、シンク３の折り返し片１９に形成された透孔２０にも十分に浸透し、充填される。また、第１の接着剤５ａの硬化反応が、第２の接着剤５ｂの硬化反応に伴う発熱によって助けられ、より速く硬化が進行し、低粘性であることの問題が抑制される。さらに、第２の接着剤５ｂに安価なものを使用することができ、第１の接着剤５ａの使用量を抑えながら、接合強度を低下させずに、接合部６の形成を安価に実現することができる。
【００３８】
図４＜ａ＞＜ｂ＞に示した第２実施形態によっても、図２および図３に示したシンク３と天板１の接合状態と同等のものが得られる。
【００３９】
図５＜ａ＞＜ｂ＞は、それぞれ、本発明のシンクと天板の接合構造の第３実施形態を示した要部断面図である。図５＜ａ＞＜ｂ＞において、図４＜ａ＞＜ｂ＞に示した第２実施形態に相当する部位には同じ符号を付し、同一符号を付した部位については以下においてその説明を省略する。
【００４０】
図５＜ａ＞＜ｂ＞に示した第３実施形態は、接合部６の構成のみが、図４＜ａ＞＜ｂ＞に示した第２実施形態と相違している。
【００４１】
接合部６は、蓄光シート２３に代わって発光体２４を備えている。発光体２４には、たとえばＬＥＤなどの発光素子が用いられる。
【００４２】
図５＜ａ＞に示した実施形態は、図４＜ａ＞に示した実施形態に対応し、発光体２４が、天板１の開口部２の内周縁１０およびシンク３の外周縁４を形成する折り返し片１９の外側面に配設されている。発光体２４は、粘着材や接着剤などによって、天板１の開口部２の内周縁１０およびシンク３の折り返し片１９の外側面に取り付けることができる。
【００４３】
このような発光体２４を備えた接合部６は、発光体２４において発光可能である。発光体２４は、スイッチ操作によって点灯させたり、照度検知によって、あらかじめ設定された所定の照度以下となったときに自動的に点灯させ、所定の照度を超えたときに自動的に消灯させたりすることができる。そして、発光体２４は、シンク３と天板１の境界部分に位置するため、夜間などの薄暗いまたは暗い状態において接合部６は発光し、部屋の照明を点灯しなくてもシンク３と天板１の境界を視認することができる。したがって、天板１の上にコップなどの食器を置こうとして誤ってシンク３の内部に食器を落としてしまうのが抑制される。使い勝手が良好となる。
【００４４】
また、接合部６は、光透過性の樹脂から形成された接着剤５によって形成されているので、光を透過することができ、したがって、目地２１は際立つことがなく、意匠性はさほど損なわれない。むしろ発光体２４の点灯によって、高級感が十分に現出し、意匠性は別の観点から向上する。さらに、接合部６の発光は、発光体２４の配設という簡便な方法により容易に実現され、しかも、より確実に実現することができる。
【００４５】
なお、ＬＥＤなどの発光体２４は、蓄光シート２３に比べ、消灯時に目地２１において視認されやすいので、違和感などが生じ、外観が低下しないように、天板１およびシンク３の表面よりも下側に配置し、露出させないようにすることが好ましい。この場合、目地２１の表面部は接着剤５によって形成されるようにする。また、同様の理由により、接着剤５を形成する光透過性の樹脂には半透明のものを採用することが好ましい。
【００４６】
また、発光体２４についても、図４＜ａ＞＜ｂ＞に示した蓄光シート２３と同様に、天板１の開口部２の内周縁１０またはシンク３の外周縁４のいずれか一方に沿って配設されていてもよく、また、内周縁１０または外周縁４の全周にわたって配設されても、または部分的に配設されていてもよい。発光体２４の発光が十分に視認されれば、配設箇所は特に制限されない。
【００４７】
たとえば、図５＜ｂ＞に示したように、発光体２４も、図４＜ｂ＞に示した実施形態と同様に、天板１の開口部２の内周縁１０とシンク３の外周縁４の間に配設することができる。このようにしても、発光体２４の発光は、目地２１において視認可能である。この場合の接合部６の形成も、図４＜ｂ＞に示した実施形態と同様に行うことができる。
【００４８】
このように、図５＜ａ＞＜ｂ＞に示した第３実施形態によっても、図２および図３に示したシンク３と天板１の接合状態と同等のものが得られる。
【００４９】
発光体２４にＬＥＤなどの発光素子を使用する場合、電力供給のためのリード線などは、天板１の裏面に配線し、取り付けることができる。配線の露出を抑えることができる。
【００５０】
なお、本発明のシンクと天板の接合構造において、天板およびシンクの材料、形状および構造をはじめ、接着剤および発光材料の種類、蓄光シートおよび発光体の形状および構造などは、特に制限されない。従来公知のものを含め、適当なものを採用することができる。
【図面の簡単な説明】
【００５１】
【図１】本発明のシンクと天板の接合構造の第１実施形態を示した要部断面図である。
【図２】図１に示したシンクと天板の接合構造によって実現されるシンクと天板の接合状態を示した要部斜視図である。
【図３】図２に示したシンクと天板の接合状態の要部断面図である。
【図４】＜ａ＞＜ｂ＞は、それぞれ、本発明のシンクと天板の接合構造の第２実施形態を示した要部断面図である。
【図５】＜ａ＞＜ｂ＞は、それぞれ、本発明のシンクと天板の接合構造の第３実施形態を示した要部断面図である。
【符号の説明】
【００５２】
１  天板
２  開口部
３  シンク
４  外周縁
５  接着剤
６  接合部
１０  内周縁
２２  蓄光材料
２３  蓄光シート
２４  発光体
【図１】
2010121379.tif 000003
【図２】
2010121379.tif 000004
【図３】
2010121379.tif 000005
【図４】
2010121379.tif 000006
【図５】
2010121379.tif 000007